(57)【特許請求の範囲】
【請求項１】
媒体を収納する複数の収納カセットと、
上方が開放された内部空間を形成し、該内部空間に上記収納カセットが上方から着脱されると共に、装着されるべき上記収納カセットがそれぞれ予め定められた複数のカセット装着部と、
上記収納カセットの外面に取り付けられ、当該収納カセットを装着すべき上記カセット装着部に応じて立体形状を相違させた標識部と、
上記カセット装着部における上辺の一部を切り欠き上記内部空間と外部とを貫通するようにそれぞれ形成され、特定の立体形状でなる上記標識部と嵌合して当該標識部を具えた収納カセットの当該カセット装着部への装着を許容する一方、他の立体形状でなる上記標識部と嵌合せず当該標識部を有する収納カセットの当該カセット装着部への装着を禁止する嵌合部と
を具えることを特徴とする媒体収納装置。
【請求項２】
上記標識部は、
上記装着すべきカセット装着部に応じた立体形状でなる標識体と、
上記収納カセットに上記標識体を所定の取付位置及び所定の取付方向で取り付ける標識取付部と
を具えることを特徴とする請求項１に記載の媒体収納装置。
【請求項３】
上記標識部は、
上記標識取付部における上記標識体の取付位置及び取付方向により定まる取付形態を複数種類有し、当該取付形態ごとに、互いに異なる上記カセット装着部の上記嵌合部とそれぞれ嵌合する
ことを特徴とする請求項２に記載の媒体収納装置。
【請求項４】
上記標識体は、
上記収納カセットに取り付ける１の取付部と、
当該収納カセットに対する位置を定める１以上の位置決め部と
を具え、
上記標識取付部は、
上記取付部が取り付けられる１の被取付部と、
上記標識体の取付方向ごとに、上記位置決め部とそれぞれ契合して上記標識体の取付位置を定める１以上の被位置決め部と
を具える
ことを特徴とする請求項３に記載の媒体収納装置。
【請求項５】
上記標識部は、
２以上の上記標識体が２以上の上記標識体取付部にそれぞれ取り付けられている
ことを特徴とする請求項２に記載の媒体収納装置。
【請求項６】
上記標識部は、
上記収納カセットの重心を挟んで対向する２以上の箇所に配置されている
ことを特徴とする請求項１に記載の媒体収納装置。
【請求項７】
上記嵌合部は、
特定の立体形状でなる上記標識部と嵌合する嵌合体と、
上記嵌合体を取り付ける嵌合体取付部と
を具えることを特徴とする請求項１に記載の媒体収納装置。
【請求項８】
上記嵌合体は、
所定の立体形状でなり、
上記嵌合部は、
上記嵌合体が上記嵌合取付部に取り付けられてなり、且つ当該嵌合取付部に対する当該嵌合体の取付位置及び取付方向の少なくとも一方を相違させることにより、所定形状の上記標識部と嵌合して当該標識部を有する収納カセットの当該カセット装着部への装着を許容する一方、他の形状でなる上記標識部と嵌合せず当該標識部を有する収納カセットの当該カセット装着部への装着を禁止する
ことを特徴とする請求項７に記載の媒体収納装置。
【請求項９】
所定の本体部に対し所定方向へスライドすることにより当該本体部に収納され又は当該本体部の外部へ露出されると共に、当該スライドする方向と交差する交差方向に沿って上記収納カセットを進行させて着脱するよう複数の上記カセット装着部が設けられたスライド筐体
をさらに具え、
上記カセット装着部は、
上記嵌合部と嵌合しない上記標識部を有する収納カセットを当該カセット装着部へ装着させる途中で、当該標識部と干渉することにより、当該収納カセットの一部を上記スライド筐体から上記交差方向へ突出させる
ことを特徴とする請求項１に記載の媒体収納装置。
【請求項１０】
媒体を収納する複数の収納カセットと、
上記収納カセットが着脱されると共に、装着されるべき上記収納カセットがそれぞれ予め定められた複数のカセット装着部と、
上記収納カセットの外面に設けられ、上記カセット装着部の引出方向の位置を相違させた標識部と、
上記カセット装着部に上記標識部とそれぞれ対応して設けられ、装着されるべきでない上記収納カセットが装着された場合に上記標識部と干渉する嵌合部と
を具え、
上記嵌合部は、突起状であり、
上記カセット装着部は、上記嵌合部が何れの上記標識部と対応するかを外面側から目視可能である
ことを特徴とする媒体収納装置。
【請求項１１】
媒体を収納する複数の収納カセットと、
上記収納カセットが着脱されると共に、装着されるべき上記収納カセットがそれぞれ予め定められた複数のカセット装着部と、
上記収納カセットの外面に取り付けられ、当該収納カセットを装着すべき上記カセット装着部に応じて立体形状を相違させた標識部と、
上記カセット装着部に上記標識部とそれぞれ対応して設けられ、装着されるべきでない上記収納カセットが装着された場合に上記標識部と干渉する嵌合部と
を具え、
上記カセット装着部は、上記嵌合部が何れの上記標識部と対応するかを外面側から目視可能である
ことを特徴とする媒体収納装置。
【発明の詳細な説明】
【技術分野】
【０００１】
本発明は媒体収納装置に関し、例えば紙幣等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種、真偽及び正損を鑑別する鑑別部と、投入された紙幣を一時的に保留する一時保留部と、金種ごとに紙幣を収納する収納カセットとを有するものが提案されている。
【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、顧客の操作指示により入金金額が確定されると、一時保留部に保留した紙幣の金種を鑑別部により再鑑別し、その金種に応じた収納カセットへ収納する。
【０００５】
また現金自動預払機のなかには、収納カセットに対する紙幣の補充作業や当該収納カセットからの紙幣の回収作業等の効率を高めるべく、本体にカセット装着部を設け、このカセット装着部に対し収納カセットを着脱可能に構成したものも提案されている（例えば、特許文献１参照）。
【先行技術文献】
【特許文献】
【０００６】
【特許文献１】特開２０１１−１１８６９９公報（第７図、第１１図等）
【発明の概要】
【発明が解決しようとする課題】
【０００７】
ところで、かかる構成の現金自動預払機では、作業者により紙幣の補充・回収作業等が行われる場合、内部の可動部分に対する安全性の確保等の観点から、電源が切断された上で、開閉可能な箇所を適宜開放させ、或いは引き出し式の各種ユニット等を引き出させた上で、収納カセットを取り外させる。
【０００８】
また現金自動預払機では、部品の共通化によるコスト削減等の観点から、互いに同等に構成された収納カセットを複数利用するようになされており、これと対応する複数のカセット装着部も互いに同等に構成されている。すなわち現金自動預払機では、その構造上、いずれの収納カセットをいずれのカセット装着部へ装着することも可能となっている。
【０００９】
一方、現金自動預払機では、運用上の理由などから、カセット装着部ごとに、装着される収納カセットに収納する紙幣の金種が予め設定されていることが多い。
【００１０】
この場合、現金自動預払機の各カセット装着部では、設定された金種の紙幣が収納された収納カセットが装着される必要があり、それ以外の金種の紙幣が収納された収納カセットの装着（以下これを誤装着と呼ぶ）を極力回避することが望ましい。
【００１１】
そこで現金自動預払機のなかには、各収納カセットに金種を設定できるようにしておき、カセット装着部に装着される収納カセットの金種が、当該カセット装着部に予め設定された金種と一致するか否かを電気的に検出し、その検出結果、すなわち誤装着の有無を所定の表示部等に表示するものもある。
【００１２】
しかしながらこのような現金自動預払機では、収納カセットをカセット装着部に装着する時点では電源が切断されているため、収納カセットが装着され、さらに開閉可能な箇所が閉塞され、引き出し式の各種ユニット等が収納される等して、電源が投入された後でなければ、誤装着の有無を検出して作業者に認識させることができない。
【００１３】
すなわちこの現金自動預払機では、収納カセットが誤装着されたことを検出できたとしても、作業者に対し、再度電源を切断させ、開閉可能な箇所を開放させ、或いは引き出し式の各種ユニット等を引き出させた上で、各収納カセットを正しいカセット装着部に装着し直させる、といった煩わしい作業を強いてしまう、という問題があった。
【００１４】
本発明は以上の点を考慮してなされたもので、媒体を収納する収納カセットを適切な箇所に装着させ得る媒体収納装置を提案しようとするものである。
【課題を解決するための手段】
【００１５】
かかる課題を解決するため本発明の媒体収納装置においては、媒体を収納する複数の収納カセットと、上方が開放された内部空間を形成し、該内部空間に収納カセットが上方から着脱されると共に、装着されるべき収納カセットがそれぞれ予め定められた複数のカセット装着部と、収納カセットの外面に取り付けられ、当該収納カセットを装着すべきカセット装着部に応じて立体形状を相違させた標識部と、カセット装着部における上辺の一部を切り欠き内部空間と外部とを貫通するようにそれぞれ形成され、特定の立体形状でなる標識部と嵌合して当該標識部を具えた収納カセットの当該カセット装着部への装着を許容する一方、他の立体形状でなる標識部と嵌合せず当該標識部を有する収納カセットの当該カセット装着部への装着を禁止する嵌合部とを設けるようにした。
【００１６】
本発明では、複数の収納カセットを複数のカセット装着部にそれぞれ装着させる際に、標識部と嵌合部とが干渉せず嵌合する場合には、完全に装着できることから正しいカセット装着部に対する適切な装着であることを、標識部と嵌合部とが干渉して装着できない場合には、当該収納カセットを他のカセット装着部に装着すべきであることを、それぞれ直ちに認識させることができる。また本発明では、カセット装着部における上辺の一部を切り欠いて嵌合部を形成したため、外側からその形状を目視することで標識部と対応するか否かを容易に目視確認できる。さらに本発明では、仮に誤った収納カセットが装着されて標識部が嵌合部と干渉した場合に、当該標識部から加えられる収納カセットの質量を、カセット装着部の側面部分により受け止めることができる。
【発明の効果】
【００１７】
本発明は、媒体を収納する収納カセットを適切な箇所に装着させ得る媒体収納装置を実現できる。
【図面の簡単な説明】
【００１８】
【図１】現金自動預払機の構成を示す略線的斜視図である。
【図２】紙幣入出金機の構成を示す略線図である。
【図３】第１の実施の形態による紙幣収納ユニットの構成を示す略線図である。
【図４】第１の実施の形態による収納カセット及びカセット装着部の構成を示す略線的斜視図である。
【図５】第１の実施の形態による標識部及び嵌合部の構成を示す略線図である。
【図６】第１の実施の形態における収納カセットの挿入の様子を示す略線図である。
【図７】第２の実施の形態による紙幣収納ユニットの構成を示す略線図である。
【図８】第２の実施の形態による収納カセットの構成を示す略線図である。
【図９】標識部における標識パターンを示す略線図である。
【図１０】第２の実施の形態によるカセット装着部の構成を示す略線的斜視図である。
【図１１】嵌合部における溝パターンを示す略線図である。
【図１２】第２の実施の形態における誤挿入の様子を示す略線図である。
【図１３】第３の実施の形態による紙幣収納ユニットの構成を示す略線図である。
【図１４】第３の実施の形態によるカセット装着部の構成（１）を示す略線的斜視図である。
【図１５】嵌合体の構成を示す略線的斜視図である。
【図１６】第３の実施の形態によるカセット装着部の構成（２）を示す略線的斜視図である。
【発明を実施するための形態】
【００１９】
以下、発明を実施するための形態（以下実施の形態とする）について、図面を用いて説明する。
【００２０】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２１】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００２２】
接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２３】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２４】
入出金口５は、顧客が入金する紙幣が投入されると共に、顧客へ出金する紙幣が排出される部分である。また入出金口５は、シャッタを駆動することにより開放又は閉塞するようになされている。因みに紙幣は、例えば長方形の紙で構成されている。
【００２５】
操作表示部６は、取引に際して操作画面を表示するＬＣＤ（Liquid Crystal Display）と、取引の種類の選択、暗証番号や取引金額等を入力するタッチパネルとが一体化されている。
【００２６】
テンキー７は、「０」〜「９」の数字等の入力を受け付ける物理キーであり、暗証番号や取引金額等の入力操作時に用いられるようになされている。
【００２７】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２８】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２９】
因みに筐体２は、前面を覆う前扉２Ａ及び後面を覆う後扉（図示せず）がそれぞれ開閉可能に構成されている。すなわち筐体２は、顧客との間で現金に関する取引を行う取引動作時には、前扉２Ａ等を閉塞することにより、内部に保有している紙幣や硬貨等を保護する。一方筐体２は、金融機関の職員や作業者等が保守作業や紙幣の補充・回収作業等を行う作業時には、必要に応じて前扉２Ａ等を開放することにより、内部の各部に対する作業を容易に行わせ得るようになされている。
【００３０】
筐体２内には、現金自動預払機１全体を統括制御する主制御部９や、紙幣に関する種々の処理を行う紙幣入出金機１０等が設けられている。
【００３１】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３２】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００３３】
［１−２．紙幣入出金機の構成］
紙幣入出金機１０は、図２に模式的な側面図を示すように、紙幣入出金機筐体１１の内部に紙幣の入金処理や出金処理に関する種々の機構が設けられている。紙幣入出金機１０の各部分は、紙幣制御部１２により制御されるようになされている。
【００３４】
紙幣制御部１２は、主制御部９と同様、図示しないＣＰＵを中心に構成されており、図示しないＲＯＭやフラッシュメモリ等から所定のプログラムを読み出して実行し、また主制御部９などの他の制御部と連携することにより、紙幣の入金処理や出金処理等、紙幣に関する種々の処理を制御するようになされている。
【００３５】
また紙幣制御部１２は、内部にＲＡＭ及びフラッシュメモリ等でなる記憶部（図示せず）を有しており、この記憶部に種々の情報を記憶させるようになされている。
【００３６】
例えば顧客が現金自動預払機１との間で入金取引を行う場合、紙幣制御部１２は、主制御部９等と連携しながら、操作表示部６を介して所定の操作入力を受け付けた後、入出金口５（図１）のシャッタを開いて入出金部１３内へ紙幣を投入させる。
【００３７】
入出金部１３は、紙幣が投入されると、入出金口５のシャッタを閉じてから紙幣を１枚ずつ取り出し、搬送部１４へ受け渡す。搬送部１４は、紙幣入出金機１０内で紙幣を各部へ搬送し得るようになされており、受け渡された紙幣を短辺方向に沿って進行させ、鑑別部１５へ搬送する。
【００３８】
鑑別部１５は、その内部で紙幣を搬送しながら当該紙幣の金種及び真偽、並びに損傷の程度等を鑑別し、その鑑別結果を紙幣制御部１２へ通知する。これに応じて紙幣制御部１２は、取得した鑑別結果に基づいていて当該紙幣の搬送先を決定する。
【００３９】
このとき搬送部１４は、鑑別部１５において正常と鑑別された紙幣（いわゆる正券）を一時保留部１６へ搬送する等して一時的に保留させる一方、取引すべきでないと鑑別された紙幣（いわゆる損券や偽券等）を入出金部１３へ搬送して顧客に返却する。
【００４０】
その後紙幣制御部１２は、操作表示部６（図１）を介して顧客に入金金額を確定させ、一時保留部１６に保留している紙幣を鑑別部１５へ搬送させてその金種及び損傷の程度等を鑑別させ、その鑑別結果を取得する。
【００４１】
そして紙幣制御部１２は、紙幣の損傷の程度が大きければ、これを再利用すべきでない紙幣としてリジェクト庫１７へ搬送して収納させ、損傷の程度が小さければ、これを再利用すべき紙幣として紙幣収納ユニット１８へ搬送させる。
【００４２】
紙幣収納ユニット１８には、複数の収納カセット３５が設けられている。この収納カセット３５は、それぞれ対応する金種が予め定められている。このため紙幣収納ユニット１８は、搬送されてきた紙幣をその金種に応じた収納カセット３５に振り分けて収納させる。
【００４３】
また、例えば顧客が現金自動預払機１との間で出金取引を行う場合、紙幣制御部１２は、主制御部９等と連携しながら、操作表示部６（図１）を介して所定の操作入力を受け付けた後、出金すべき金額に応じた紙幣を紙幣収納ユニット１８の収納カセット３５から繰り出させる。
【００４４】
続いて紙幣制御部１２は、この紙幣を搬送部１４により鑑別部１５へ搬送して鑑別させた上で入出金部１３へ搬送し、入出金口５（図１）のシャッタを開いてこの紙幣を顧客に取り出させる。
【００４５】
ここで紙幣制御部１２は、入出金口５のシャッタを開いてから所定時間が経過してシャッタを閉じた後にも入出金部１３に紙幣が残っていた場合、顧客が当該紙幣を取り忘れたものと見なし、この紙幣を搬送部１４により取忘れ保管庫２０へ搬送して、他の紙幣と区別できるように保管する。
【００４６】
ところで、紙幣入出金機筐体１１の後側に設けられた補充回収庫２１は、内部に多数の紙幣を収納できるよう構成されると共に、その真上に設置された補充入出金部２２と連結されている。
【００４７】
また補充回収庫２１は、筐体２（図１）の背面に設けられた後扉（図示せず）が開放されたときに、職員等の作業により、その内部に紙幣を収納し、またその内部から紙幣を取り出し得るようになされている。
【００４８】
紙幣制御部１２は、補充回収庫２１内に紙幣が収納された状態で所定の補充操作指示を受け付けると、補充回収庫２１から紙幣収納ユニット１８の収納カセット３５への紙幣の補充処理を行う。
【００４９】
このとき紙幣制御部１２は、補充入出金部２２により補充回収庫２１内から紙幣を順次繰り出させ、搬送部１４を介して紙幣収納ユニット１８へ搬送させて、指示された収納カセット３５内に紙幣を順次集積させる。
【００５０】
また紙幣制御部１２は、紙幣収納ユニット１８の収納カセット３５に紙幣が収納された状態で所定の回収操作指示を受け付けると、収納カセット３５から補充回収庫２１内への紙幣の回収処理を行う。
【００５１】
このとき紙幣制御部１２は、当該収納カセット３５から紙幣を順次繰り出させ、紙幣収納ユニット１８から搬送部１４を介して補充入出金部２２へ搬送させ、当該補充入出金部２２により補充回収庫２１内に順次集積させる。
【００５２】
因みに紙幣制御部１２は、各種取引処理等の合間に補充処理及び回収処理を適宜実行することにより、収納カセット３５における紙幣の不足や飽和を未然に防止して、顧客に対する入金取引や出金取引の提供を極力継続させるようになされている。
【００５３】
このように紙幣入出金機１０では、顧客から入金された紙幣を紙幣収納ユニット１８の収納カセット３５に収納し、また顧客へ出金すべき紙幣を予め収納カセット３５に収納しておくようになされている。
【００５４】
［１−３．紙幣収納ユニットの構成］
紙幣収納ユニット１８は、スライド筐体としての紙幣収納ユニット筐体３１を中心に構成されている。紙幣収納ユニット筐体３１は、全体として直方体状に構成され、前後方向に摺動するスライド機構（図示せず）を介して紙幣入出金機筐体１１に取り付けられている。
【００５５】
このため紙幣収納ユニット筐体３１は、このスライド機構を伸縮させることにより、本体部としての紙幣入出金機筐体１１に対し前後方向へ移動するようになされている。すなわち紙幣収納ユニット筐体３１は、図２に示したように紙幣入出金機筐体１１の内部に収納され、又は図３に示すように紙幣入出金機筐体１１の前方へ引き出される。
【００５６】
紙幣収納ユニット筐体３１には、４個のカセット装着部３２Ａ、３２Ｂ、３２Ｃ及び３２Ｄ（以下まとめてカセット装着部３２と呼ぶ）が前後方向に整列するよう配置されている。
【００５７】
カセット装着部３２Ａ〜３２Ｄは、図４（Ｂ）に示すように、いずれも同等の大きさでなり上下を長手方向とする直方体状に構成され、また中空に形成されると共に天板が省略されることにより、内部空間３２ＳＡ〜３２ＳＤを上方へ向けて開放させた状態となっている。
【００５８】
カセット装着部３２Ａ、３２Ｂ、３２Ｃ及び３２Ｄの左側面上部には、上辺の一部が下方へ向けて矩形状に切り欠かれることにより、溝状の嵌合部３３Ａ、３３Ｂ、３３Ｃ及び３３Ｄ（以下まとめて嵌合部３３と呼ぶ）が形成されている。
【００５９】
図５（Ｂ）に示すように、嵌合部３３は、内側面底部から溝状部分の下端までの高さＨ１及び溝状部分の前後幅Ｗ１がそれぞれ同等となっているものの、内側前面からの距離Ｌ１Ａ、Ｌ１Ｂ、Ｌ１Ｃ及びＬ１Ｄが互いに異なっている。すなわち嵌合部３３Ａ、３３Ｂ、３３Ｃ及び３３Ｄは、カセット装着部３２Ａ、３２Ｂ、３２Ｃ及び３２Ｄにおける前後方向の位置が互いに相違している。
【００６０】
またカセット装着部３２Ａ、３２Ｂ、３２Ｃ及び３２Ｄの右側面上部（図４（Ａ））には、嵌合部３３Ａ、３３Ｂ、３３Ｃ及び３３Ｄとそれぞれ左右対称な嵌合部３４Ａ、３４Ｂ、３４Ｃ及び３４Ｄ（以下まとめて嵌合部３４と呼ぶ）が形成されている。すなわち嵌合部３４Ａ、３４Ｂ、３４Ｃ及び３４Ｄもカセット装着部３２Ａ、３２Ｂ、３２Ｃ及び３２Ｄにおける前後方向の位置が互いに相違している。
【００６１】
このように各カセット装着部３２は、大きさ及び全体的な形状において互いに共通するものの、嵌合部３３及び３４の位置（すなわち溝の位置）が互いに相違した、いわば溝パターンが互いに相違した構成となっている。
【００６２】
一方、収納カセット３５Ａ、３５Ｂ、３５Ｃ及び３５Ｄ（以下まとめて収納カセット３５と呼ぶ）は、図４（Ａ）に示すように、いずれも同等の大きさでなり上下を長手方向とする直方体状に構成されており、その内部に多数の紙幣を集積した状態で収納し得るようになされている。
【００６３】
また収納カセット３５は、前後方向及び左右方向の長さが、カセット装着部３２の内部空間における前後方向及び左右方向の長さよりもそれぞれ僅かに短くなっている。すなわち収納カセット３５は、全体的な形状としては、カセット装着部３２の内部空間に対し上方向から挿入し得るように構成されている。
【００６４】
収納カセット３５Ａ、３５Ｂ、３５Ｃ及び３５Ｄの左側面上部には、周囲よりも左方向へ突出した標識部３６Ａ、３６Ｂ、３６Ｃ及び３６Ｄ（以下まとめて標識部３６と呼ぶ）が形成されている。
【００６５】
標識部３６は、図５（Ａ）に示すように、上下方向を長手方向とする小さな直方体状に形成されており、収納カセット３５の底面から下端までの高さＨ２及び前後幅Ｗ２がそれぞれ同等となっている。
【００６６】
因みに標識部３６の高さＨ２及び前後幅Ｗ２は、嵌合部３３における高さＨ１及び前後幅Ｗ１よりもそれぞれ僅かに短くなっている。
【００６７】
しかしながら標識部３６Ａ、３６Ｂ、３６Ｃ及び３６Ｄは、前側面からの距離Ｌ２Ａ、Ｌ２Ｂ、Ｌ２Ｃ及びＬ２Ｄが互いに異なっている。すなわち標識部３６Ａ、３６Ｂ、３６Ｃ及び３６Ｄは、収納カセット３５Ａ、３５Ｂ、３５Ｃ及び３５Ｄにおける前後方向の位置が互いに相違している。
【００６８】
因みに距離Ｌ２Ａ、Ｌ２Ｂ、Ｌ２Ｃ及びＬ２Ｄは、嵌合部３３Ａ、３３Ｂ、３３Ｃ及び３３Ｄにおける各距離Ｌ１Ａ、Ｌ１Ｂ、Ｌ１Ｃ及びＬ１Ｄよりもそれぞれ僅かに短くなっている。
【００６９】
また収納カセット３５Ａ、３５Ｂ、３５Ｃ及び３５Ｄの右側面上部（図４（Ａ））には、標識部３６Ａ、３６Ｂ、３６Ｃ及び３６Ｄとそれぞれ左右対称な標識部３７Ａ、３７Ｂ、３７Ｃ及び３７Ｄ（以下まとめて標識部３７と呼ぶ）が形成されている。このため標識部３７Ａ、３７Ｂ、３７Ｃ及び３７Ｄも収納カセット３５Ａ、３５Ｂ、３５Ｃ及び３５Ｄにおける前後方向の位置が互いに相違している。
【００７０】
すなわち収納カセット３５の標識部３６及び３７は、カセット装着部３２の嵌合部３３及び３４とそれぞれ対応する形状に構成され、且つ嵌合部３３及び３４とそれぞれ対応する位置に設けられている。
【００７１】
因みに収納カセット３５は、紙幣を収納するための空間を形成すると共に当該紙幣を１枚ずつ分離して繰り出すための機構が取り付けられた分離収納部と、当該分離収納部の外周を覆う外観カバーとの組み合わせにより構成されている。標識部３６及び３７は、この外観カバーに設けられている。
【００７２】
このように各収納カセット３５は、大きさ及び全体的な形状において互いに共通するものの、標識部３６及び３７の位置が互いに相違した、いわば標識パターンが互いに相違した構成となっている。
【００７３】
［１−４．動作及び効果］
以上の構成において、第１の実施の形態による紙幣収納ユニット１８は、紙幣入出金機筐体１１の前側に紙幣収納ユニット筐体３１が引き出された状態（図３）で、カセット装着部３２に収納カセット３５がそれぞれ装着される。
【００７４】
このとき収納カセット３５Ａは、対応するカセット装着部３２Ａに挿入された場合、図６（Ａ）に示すように、左側面において、標識部３６Ａの位置が嵌合部３３Ａの位置とほぼ一致するため、干渉することなく嵌合する。
【００７５】
因みに図は省略するものの、右側面においても同様に、標識部３７Ａが嵌合部３４Ａに嵌合する。
【００７６】
このため収納カセット３５Ａは、対応するカセット装着部３２Ａ内に完全に収容され、正しく装着された状態となる。
【００７７】
これと同様に収納カセット３５Ｂ〜３５Ｄは、対応するカセット装着部３２Ｂ〜３２Ｄにそれぞれ挿入された場合、各標識部３６及び３７が各嵌合部３３及び３４にそれぞれ嵌合することにより、完全に収容され、正しく装着された状態となる。
【００７８】
一方、収納カセット３５Ａは、対応しないカセット装着部３２Ｃに挿入された場合、図６（Ｃ）に示すように、左側面において、標識部３６Ａの位置が嵌合部３３Ｃの位置と相違するため、途中まで挿入された段階で標識部３６Ａがカセット装着部３２Ｃの左側面における上辺と干渉し、嵌合部３３Ｃと嵌合しないため、装着が阻止される。以下、この状態を誤挿入と呼ぶ。
【００７９】
因みに図は省略するものの、右側面においても同様に、標識部３７Ａの位置が嵌合部３４Ｃの位置と異なるため、標識部３７Ａが上辺と干渉し、嵌合部３４Ｃと嵌合しない。
【００８０】
また収納カセット３５Ａは、対応しないカセット装着部３２Ｂ及び３２Ｄにおいても、同様に標識部３６Ａ及び３７Ａが左右側面の上辺とそれぞれ干渉し、嵌合部３３又は３４と嵌合しないため、装着が阻止される。これと同様に収納カセット３５Ｂ〜３５Ｄは、それぞれ対応しないカセット装着部３２Ａ〜３２Ｄに挿入された場合、標識部３６Ｂ〜３６Ｄ及び３７Ｂ〜３７Ｄが左右側面の上辺とそれぞれ干渉し、嵌合部３３又は３４と嵌合しないため、装着が阻止される。
【００８１】
このように紙幣収納ユニット１８では、各収納カセット３５の標識部３６及び３７における前後方向の位置（標識パターン）を他の収納カセット３５と相違させ、各カセット装着部３２それぞれの嵌合部３３及び３４における溝パターン前後方向の位置（溝パターン）を、対応する収納カセット３５の標識部３６及び３７に合わせた。
【００８２】
これにより紙幣収納ユニット１８は、各収納カセット３５に対しそれぞれ対応するカセット装着部３２への装着を許容する一方、対応しないカセット装着部３２に誤挿入されたときには、標識部３６及び３７と当該カセット装着部３２との物理的干渉により装着を禁止することができる。
【００８３】
このとき紙幣収納ユニット１８は、対応しないカセット装着部３２について、収納カセット３５を挿入途中で停止させ、標識部３６及び３７よりも上側部分をカセット装着部３２の上方に突出させた状態に止め、装着を阻止する（図６（Ｂ））。
【００８４】
このため紙幣収納ユニット１８は、挿入作業をしている作業員や職員等に対し、当該収納カセット３５が誤挿入されていることを直ちに認識させることができ、さらにはその場で正しいカセット装着部３２に挿入し直すよう促すことができる。
【００８５】
また紙幣収納ユニット１８は、紙幣入出金機筐体１１に対し紙幣収納ユニット筐体３１がスライドする方向である前後方向と交差する上方向から、カセット装着部３２に対し収納カセット３５を下方向へ挿入させ、誤挿入されてその一部を上方に突出させた状態では、当該収納カセット３５を紙幣入出金機筐体１１の前側部分１１Ａと干渉させる。
【００８６】
このため紙幣収納ユニット１８では、収納カセット３５が対応しないカセット装着部３２に挿入されて一部を上方に突出させている限り、物理的な干渉により、紙幣収納ユニット筐体３１の紙幣入出金機筐体１１内への収容を抑制することができる。
【００８７】
これにより、収納カセット３５を対応しないカセット装着部３２に挿入したまま、確認の不徹底や誤操作等により紙幣収納ユニット筐体３１を誤って紙幣入出金機筐体１１内に収容しようとした場合にも、物理的に収容できないため、収納カセット３５の誤挿入を確実に認識させることができる。
【００８８】
さらに収納カセット３５は、左右の両側面に、すなわち当該収納カセット３５の重心を挟んだ２箇所にそれぞれ標識部３６及び３７を設けた。
【００８９】
これにより収納カセット３５は、対応しないカセット装着部３２に挿入され、標識部３６及び３７がカセット装着部３２における左右側面の上辺とそれぞれ干渉して一部を上方に突出させた状態になったとしても、重心を挟んだ両側において当該カセット装着部３２と当接することにより、容易にバランスを保持することができる。
【００９０】
また紙幣収納ユニット１８では、収納カセット３５の誤装着が原理的に生じないことになる。このため現金自動預払機１では、収納カセット３５が誤装着された場合に必要となった、職員等による各カセット装着部３２に対応付ける金種の設定変更作業を行わせずに済む。
【００９１】
さらに収納カセット３５は、標識部３６及び３７の位置が互いに相違するため、慣れた職員が標識部３６及び３７を目視するだけで、当該収納カセット３５に収納されている、又は収納されるべき紙幣の金種を判断することも可能となる。
【００９２】
以上の構成によれば、第１の実施の形態による紙幣収納ユニット１８では、各収納カセット３５の標識部３６及び３７における前後方向の位置（標識パターン）を他の収納カセット３５と相違させ、各カセット装着部３２それぞれの嵌合部３３及び３４における前後方向の位置（溝パターン）を、対応する収納カセット３５の標識部３６及び３７に合わせた。これにより紙幣収納ユニット１８は、カセット装着部３２に挿入された収納カセット３５が正しく対応するときには、標識部３６及び３７を嵌合部３３及び３４と嵌合させて適切に装着させる一方、正しく対応しない誤挿入であるときには、標識部３６及び３７を左右側面の上辺と干渉させて嵌合させず、その装着を禁止することができる。
【００９３】
［２．第２の実施の形態］
図６（Ａ）と対応する図７に示すように、第２の実施の形態による紙幣収納ユニット１１８は、第１の実施の形態による紙幣収納ユニット１８と比較して、カセット装着部３２及び収納カセット３５に代わるカセット装着部１３２及び収納カセット１３５を有する点が相違するものの、他の部分については同様に構成されている。
【００９４】
［２−１．収納カセットの構成］
収納カセット１３５は、第１の実施の形態と同様、互いに類似した形状でなる４個の収納カセット１３５Ａ、１３５Ｂ、１３５Ｃ及び１３５Ｄにより構成されている。以下では、代表として収納カセット１３５Ａを中心に説明する。
【００９５】
図８（Ａ）に示すように、収納カセット１３５Ａは、第１の実施の形態による収納カセット３５Ａと比較して、標識部３６Ａ及び３７Ａに代わる標識部１３６Ａ及び１３７Ａを有する点が相違している。
【００９６】
標識部１３６Ａ及び１３７Ａは、左右対称であるものの、基本的に同等に構成されている。以下では、標識部１３６Ａを例に説明する。
【００９７】
標識部１３６Ａは、収納カセット１３５Ａと別体に構成された標識体１４１と、当該標識体１４１を当該収納カセット１３５Ａに取り付けるための標識取付部１４２とにより構成されている。
【００９８】
標識体１４１は、図８（Ｂ）に示すように、上下に長い直方体状の本体部１４１Ｐと、当該本体部１４１Ｐの上下中央付近から前後方向へ短く延設された取付部１４１Ｑとにより構成されており、左右方向から見てＴ字状となっている。
【００９９】
本体部１４１Ｐにおける左右方向の一側面には、上側及び下側に位置決め突起１４１Ｒがそれぞれ突設されている。位置決め突起１４１Ｒは、左右方向に沿った中心軸を有する小さな円柱状に形成されている。また取付部１４１Ｑには、左右方向に貫通する取付孔１４１Ｓが穿設されている。
【０１００】
因みに図８（Ｂ）は、説明の都合上、標識体１４１を位置決め突起１４１Ｒが設けられている側面の側から見た状態を表している。
【０１０１】
標識取付部１４２は、収納カセット１３５Ａにおける左右の側面に穿設された取付ねじ孔１４２Ｔ、前位置決め孔１４２Ｕ及び後位置決め孔１４２Ｖにより構成されている。
【０１０２】
取付ねじ孔１４２Ｔは、丸孔の内側面に螺旋状の溝が刻まれることにより、後述する取付ねじと螺合し得るようになされている。
【０１０３】
前位置決め孔１４２Ｕは、取付ねじ孔１４２Ｔの前方における上下に離れた箇所に穿設されている。ここで取付ねじ孔１４２Ｔに対する前位置決め孔１４２Ｕの位置は、標識体１４１における取付孔１４１Ｓに対する位置決め突起１４１Ｒの位置と対応している。
【０１０４】
また後位置決め孔１４２Ｖは、取付ねじ孔１４２Ｔの後方における上下に離れた箇所に穿設されている。ここで取付ねじ孔１４２Ｔに対する後位置決め孔１４２Ｖの位置は、やはり標識体１４１における取付孔１４１Ｓに対する位置決め突起１４１Ｒの位置と対応している。
【０１０５】
ところで標識部１３６Ａでは、図９（Ａ）及び（Ｂ）に示すように、標識取付部１４２に対し標識体１４１を２通りの取付形態で取り付け得るようになされている。
【０１０６】
図９（Ａ）に示す取付形態では、取付孔１４１Ｓの前方に本体部１４１Ｐが位置し、当該取付孔１４１Ｓが取付ねじ孔１４２Ｔに重ねられると共に、２個の位置決め突起１４１Ｒが２箇所の前位置決め孔１４２Ｕにそれぞれ挿入されて契合されている。
【０１０７】
また標識体１４１は、取付ねじ１４３が取付孔１４１Ｓを挿通し取付ねじ孔１４２Ｔと螺合するようねじ止めされることにより、標識取付部１４２に固定されている。
【０１０８】
以下では、このように取付ねじ孔１４２Ｔの前方に標識体１４１の本体部１４１Ｐを位置させる取付形態を前標識形態と呼ぶ。
【０１０９】
一方、図９（Ｂ）に示す取付形態では、取付孔１４１Ｓの後方に本体部１４１Ｐが位置し、当該取付孔１４１Ｓが取付ねじ孔１４２Ｔに重ねられると共に、２個の位置決め突起１４１Ｒが２箇所の後位置決め孔１４２Ｖにそれぞれ挿入されて契合されている。
【０１１０】
また標識体１４１は、取付ねじ１４３が取付孔１４１Ｓを挿通し取付ねじ孔１４２Ｔと螺合するようねじ止めされることにより、標識取付部１４２に固定されている。
【０１１１】
以下では、このように取付ねじ孔１４２Ｔの後方に標識体１４１の本体部１４１Ｐを位置させる取付形態を後標識形態と呼ぶ。
【０１１２】
このように標識部１３６Ａは、前標識形態（図９（Ａ））又は後標識形態（図９（Ｂ））のいずれかの取付形態により、標識取付部１４２に標識体１４１を取り付けるようになされている。
【０１１３】
これを換言すれば、標識部１３６Ａは、取付ねじ孔１４２Ｔに対する本体部１４１Ｐの位置を、前標識形態であれば前方とし、後標識形態であれば後方とするよう、その取付形態ごとに相違させるようになされている。
【０１１４】
また標識部１３７Ａは、標識部１３６Ａと左右対称であるものの、同様に取付孔１４１Ｓに対し本体部１４１Ｐを前方又は後方に位置させる前標識形態又は後標識形態のいずれかの取付形態により、標識体１４１を標識取付部１４２に取り付けるようになされている。
【０１１５】
さらに収納カセット１３５Ｂ、１３５Ｃ及び１３５Ｄの標識部１３６Ｂ、１３６Ｃ及び１３６Ｄ並びに標識部１３７Ｂ、１３７Ｃ及び１３７Ｄも、それぞれ標識部１３６Ａ及び１３７Ａと同様に構成されており、それぞれ前標識形態又は後標識形態のいずれかの取付形態を採り得る。
【０１１６】
ところで標識部１３６（１３６Ａ、１３６Ｂ、１３６Ｃ及び１３６Ｄ）及び標識部１３７（１３７Ａ、１３７Ｂ、１３７Ｃ及び１３７Ｄ）における取付形態の組み合わせとしては、それぞれを前標識形態又は後標識形態のいずれかとすることにより、２通りを２乗した４通りが選択可能となる。
【０１１７】
そこで収納カセット１３５（１３５Ａ、１３５Ｂ、１３５Ｃ及び１３５Ｄ）では、図９（Ｃ）に示すように、各標識部１３６及び１３７における取付形態の組み合わせを互いに相違させている。
【０１１８】
具体的に収納カセット１３５Ａ、１３５Ｂ、１３５Ｃ及び１３５Ｄでは、各標識部１３６及び１３７における取付形態の組み合わせが、「前標識形態・前標識形態」、「前標識形態・後標識形態」、「後標識形態・前標識形態」及び「後標識形態・後標識形態」となっている。以下、これらの組み合わせを標識パターンと呼ぶ。
【０１１９】
因みに図９（Ｃ）では、説明の都合により前後方向を統一して表したため、標識部１３７を左方向から透視したときの形態を示している。
【０１２０】
このように収納カセット１３５は、標識部１３６及び１３７において、標識取付部１４２に標識体１４１が前標識形態又は後標識形態となるようそれぞれ取り付けられており、且つ収納カセット１３５ごとに標識パターンを相違させるようになされている。
【０１２１】
［２−２．カセット装着部の構成］
カセット装着部１３２は、第１の実施の形態と同様、互いに類似した形状でなる４個のカセット装着部１３２Ａ、１３２Ｂ、１３２Ｃ及び１３２Ｄにより構成されている。
【０１２２】
図１０に示すように、カセット装着部１３２は、第１の実施の形態によるカセット装着部３２と比較して、嵌合部３３及び３４に代わる嵌合部１３３（１３３Ａ、１３３Ｂ、１３３Ｃ及び１３３Ｄ）及び１３４（１３４Ａ、１３４Ｂ、１３４Ｃ及び１３４Ｄ）を有する点が相違している。
【０１２３】
嵌合部１３３及び１３４は、嵌合部３３及び３４と同様に上辺の一部が下方へ向けて矩形状に切り欠かれることにより溝が形成されているものの、その位置及び形状が嵌合部３３及び３４とは異なっている。
【０１２４】
すなわち嵌合部１３３及び１３４の各溝は、収納カセット１３５の標識部１３６及び１３７に取り付けられた標識体１４１と対応するよう、その位置及び形状が定められている。
【０１２５】
例えば嵌合部１３３Ａは、収納カセット１３５Ａ（図８（Ａ））の標識部１３６Ａに前標識形態となるよう取り付けられた標識体１４１と対応している。
【０１２６】
このため嵌合部１３３Ａの溝は、比較的前寄りの箇所に形成されており、前後方向の幅が嵌合部３３Ａよりも広げられている。またこの溝の底部分は、前半部分よりも後半部分が高められて（浅くなって）おり、前半部分において標識体１４１の本体部１４１Ｐ（図８（Ｂ））と、後半部分において取付部１４１Ｑと、それぞれ対応するようになされている。以下、このような嵌合部１３３Ａの形態を前溝形態と呼ぶ。
【０１２７】
これと同様に、前標識形態である標識部１３６Ｂ、１３７Ａ及び１３７Ｃとそれぞれ対応する嵌合部１３３Ｂ、１３４Ａ及び１３４Ｃも、それぞれ前溝形態となっている。
【０１２８】
一方、例えば嵌合部１３３Ｃは、収納カセット１３５Ｃの標識部１３６Ｃに後標識形態となるよう取り付けられた標識体１４１と対応している。
【０１２９】
このため嵌合部１３３Ｃの溝は、比較的後寄りの箇所に形成されており、前後方向の幅が嵌合部３３Ｃよりも広げられている。またこの溝の底部分は、後半部分よりも前半部分が高められて（浅くなって）おり、後半部分において標識体１４１の本体部１４１Ｐと、前半部分において取付部１４１Ｑと、それぞれ対応するようになされている。以下、このような嵌合部１３３Ｃの形態を後溝形態と呼ぶ。
【０１３０】
これと同様に、後標識形態である標識部１３６Ｄ、１３７Ｂ及び１３７Ｄとそれぞれ対応する嵌合部１３３Ｄ、１３４Ｂ及び１３４Ｄも、それぞれ前溝形態となっている。
【０１３１】
すなわちカセット装着部１３２Ａ、１３２Ｂ、１３２Ｃ及び１３２Ｄでは、嵌合部１３３及び１３４における溝形態の組み合わせが、図９（Ｃ）と対応する図１１に示すように、「前溝形態・前溝形態」、「前溝形態・後溝形態」、「後溝形態・前溝形態」及び「後溝形態・後溝形態」となっている。以下、これらの組み合わせを溝パターンと呼ぶ。
【０１３２】
因みに図１１では、図９（Ｃ）と同様、説明の都合により前後方向を統一して表したため、嵌合部１３４を左方向から（すなわち内部空間側から）見たときの形態を示している。
【０１３３】
このようにカセット装着部１３２は、嵌合部１３３及び１３４において、収納カセット１３５の標識部１３６及び１３７により形成された標識パターンとそれぞれ対応するような溝が形成されている。換言すれば、カセット装着部１３２は、互いの溝パターンを相違させるようになされている。
【０１３４】
［２−３．動作及び効果］
以上の構成において、第２の実施の形態による紙幣収納ユニット１１８は、第１の実施の形態と同様、カセット装着部１３２に収納カセット１３５がそれぞれ装着される。
【０１３５】
このとき収納カセット１３５Ａは、対応するカセット装着部１３２Ａに挿入された場合、図７に示したように、左側面において、前標識形態である標識部１３６Ａの位置及び形状が前溝形態である嵌合部１３３Ａの位置及び形状とほぼ一致するため、干渉することなく嵌合する。
【０１３６】
因みに図は省略するものの、右側面においても同様に、前標識形態である標識部１３７Ａが前溝形態である嵌合部１３４Ａに嵌合する。
【０１３７】
このため収納カセット１３５Ａは、対応するカセット装着部１３２Ａ内に完全に収容され、正しく装着された状態となる。
【０１３８】
これと同様に収納カセット１３５Ｂ〜１３５Ｄは、対応するカセット装着部１３２Ｂ〜１３２Ｄにそれぞれ挿入された場合、各標識部１３６及び１３７が各嵌合部１３３及び１３４にそれぞれ嵌合することにより、完全に収容され、正しく装着された状態となる。
【０１３９】
一方、収納カセット１３５Ａは、対応しないカセット装着部１３２Ｃに挿入された場合、右側面において、前標識形態である標識部１３７Ａの位置及び形状、すなわち標識取付部１４２における標識体１４１の取付位置が、前溝形態である嵌合部１３４Ｃにおける溝の位置及び形状と対応するため、何ら干渉せず、そのまま嵌合しようとする。
【０１４０】
しかしながら収納カセット１３５Ａは、図１２に示すように、左側面において、前標識形態である標識部１３６Ａの位置及び形状、すなわち標識取付部１４２における標識体１４１の取付位置及び取付方向が、後溝形態である嵌合部１３３Ｃにおける溝の位置及び形状と対応しない。
【０１４１】
このため収納カセット１３５Ａは、途中まで挿入された段階で標識部１３６Ａの標識体１４１がカセット装着部１３２Ｃの左側面における上辺と干渉して嵌合部１３３Ｃと嵌合せず、装着が阻止される。すなわち収納カセット１３５Ａは、誤挿入された状態となる。
【０１４２】
また収納カセット１３５Ａは、対応しないカセット装着部１３２Ｂ及び１３２Ｄにおいても、標識部１３６Ａ及び１３７Ａの少なくとも一方において、標識体１４１が左右側面の上辺と干渉して嵌合部１３３又は１３４と嵌合しないため、装着が阻止される。
【０１４３】
これと同様に収納カセット１３５Ｂ〜１３５Ｄは、それぞれ対応しないカセット装着部１３２Ａ〜１３２Ｄに挿入された場合、標識部１３６Ｂ〜１３６Ｄ及び１３７Ｂ〜１３７Ｄの少なくとも一方において、標識体１４１が左右側面の上辺と干渉して嵌合部１３３又は１３４と嵌合しないため、装着が阻止される。
【０１４４】
このように紙幣収納ユニット１１８では、各収納カセット１３５の標識部１３６及び１３７において、標識取付部１４２に対する標識体１４１の取付形態を前標識形態又は後標識形態として標識パターンを他の収納カセット１３５と相違させた。
【０１４５】
また紙幣収納ユニット１１８では、各カセット装着部１３２の嵌合部１３３及び１３４における溝パターンを、対応する収納カセット１３５の標識部１３６及び１３７に合わせて構成した。
【０１４６】
これにより紙幣収納ユニット１１８は、各収納カセット１３５に対し、それぞれ対応するカセット装着部１３２への装着を許容する一方、対応しないカセット装着部１３２への挿入（すなわち誤挿入）であるときには物理的干渉により装着を禁止することができる。
【０１４７】
特に収納カセット１３５の標識部１３６及び１３７では、標識取付部１４２に対し別部品である標識体１４１を取り付けるようにした。
【０１４８】
このため収納カセット１３５は、本体部分を同一の部品として共通化することにより製造等に要するコストの削減を図ることができ、また必要な標識パターンに合わせた取付位置及び取付方向で標識体１４１を取り付けるだけで、所望の収納カセット１３５を容易に構成することができる。
【０１４９】
また標識部１３６及び１３７では、標識取付部１４２に対し標識体１４１を取り付ける際、２個の位置決め突起１４１Ｒを２箇所の前位置決め孔１４２Ｕにそれぞれ挿入して契合させ、取付ねじ１４３により取付孔１４１Ｓを介して取付ねじ孔１４２Ｔにねじ止めするようにした。
【０１５０】
このため収納カセット１３５は、例えば３箇所をねじ止めする場合と比較して、取付ねじの数を削減して部品の費用を削減し、またねじ止めに要する作業工数も削減しながら、同等の位置決め精度を確保でき、且つ確実に固定することができる。
【０１５１】
さらに収納カセット１３５は、標識部１３６及び１３７において、標識取付部１４２に取り付ける標識体１４１の方向（取付ねじ孔１４２Ｔに対する本体部１４１Ｐの位置）により、前標識形態又は後標識形態といった２通りの取付形態を採り得るようにした。
【０１５２】
このため収納カセット１３５では、単一の標識体１４１のみを利用するだけで良く、複数種類の標識体を用意する必要がないため、製造等に必要なコストを低廉に抑えることができる。
【０１５３】
そのうえ収納カセット１３５は、取付形態が前標識形態又は後標識形態といった２通りのみである標識体１４１及び標識取付部１４２を、標識部１３６及び１３７の２箇所においてそれぞれ用いたことにより、４通りの標識パターンを形成するようにした。
【０１５４】
このため収納カセット１３５は、標識部１３６及び１３７において使用する標識体１４１を共通化することができるので、製造等に必要なコストをさらに低廉に抑えることができる。
【０１５５】
また標識体１４１については、取り付けられたときの物理的形状（すなわち収納カセット１３５に対する本体部１４１Ｐの位置）が互いに異なるような取付形態を２通りのみ区別できれば良いため、比較的単純な形状とすることができ、製造コストの低減化や取付作業時における方向確認の容易化を図ることができる。
【０１５６】
かかる構成により収納カセット１３５は、例えば金融機関等の現場において急に標識パターンを変更する必要が生じたとしても、取付ねじ１４３を緩めて標識体１４１を約半回転させて再び取付ねじ１４３を締めるだけで、容易に対応することが可能となり、臨機応変な運用を実現することもできる。
【０１５７】
その他の点についても、第２の実施の形態による紙幣収納ユニット１１８は、第１の実施の形態による紙幣収納ユニット１８と同様の作用効果を奏し得る。
【０１５８】
以上の構成によれば、第２の実施の形態による紙幣収納ユニット１１８では、各収納カセット１３５の標識部１３６及び１３７において、標識取付部１４２に対する標識体１４１の取付形態を前標識形態又は後標識形態として標識パターンを他の収納カセット１３５と相違させると共に、各カセット装着部１３２の嵌合部１３３及び１３４における溝パターンを対応する収納カセット１３５の標識部１３６及び１３７に合わせた。これにより紙幣収納ユニット１１８は、カセット装着部１３２に挿入された収納カセット１３５が正しく対応するときには、標識部１３６及び１３７を嵌合部１３３及び１３４と嵌合させて適切に装着させる一方、正しく対応しない誤挿入であるときには、標識部１３６及び１３７を左右側面の上辺と干渉させて嵌合させず、その装着を禁止することができる。
【０１５９】
［３．第３の実施の形態］
図７と対応する図１３に示すように、第３の実施の形態による紙幣収納ユニット２１８は、第２の実施の形態による紙幣収納ユニット１１８と比較して、カセット装着部１３２に代わるカセット装着部２３２（２３２Ａ、２３２Ｂ、２３２Ｃ及び２３２Ｄ）を有する点が相違するものの、収納カセット１３５を含めた他の部分については同様に構成されている。
【０１６０】
［３−１．カセット装着部の構成］
カセット装着部２３２は、第２の実施の形態におけるカセット装着部１３２と比較して、嵌合部１３３及び１３４とそれぞれ対応する嵌合部２３３（２３３Ａ、２３３Ｂ、２３３Ｃ及び２３３Ｄ）並びに２３４（２３４Ａ、２３４Ｂ、２３４Ｃ及び２３４Ｄ）を有する点が相違するものの、他の部分については同様に構成されている。
【０１６１】
嵌合部２３３及び２３４は、第２の実施の形態における嵌合部１３３及び１３４をその周辺部分と共に左右方向から見て略Ｕ字状に切り離したような形状でなる嵌合体２５１と、その残りの部分に形成される溝状の嵌合体取付部２５２との組み合わせにより構成されている。
【０１６２】
すなわち図１４に示すように、嵌合体取付部２５２は、第１の実施の形態における嵌合部３３及び３４にそれぞれ形成された溝を前後方向に大きく拡大すると共に上下方向にも僅かに拡大したような、大きな矩形状の溝となっている。
【０１６３】
また各嵌合部２３３における嵌合体取付部２５２の位置及び形状は互いに同等となっており、各嵌合部２３４における嵌合体取付部２５２の位置及び形状も互いに同等となっている。さらに嵌合部２３３及び嵌合部２３４は、互いに左右対称となっている。
【０１６４】
すなわち各カセット装着部２３２は、全て同様に、いずれも同等な形状の溝でなる嵌合体取付部２５２が左右の側面上部にそれぞれ形成されている。
【０１６５】
一方、嵌合体２５１は、図１５（Ａ）及び（Ｂ）に示すように、全体的に直方体状でなり、その上辺から下方へ向けて、第２の実施の形態における嵌合部１３３及び１３４にそれぞれ形成されている溝と同形状の溝、すなわち底部分の約半分が深くその残りが浅い溝が形成されている。
【０１６６】
また嵌合体２５１は、溝における浅い部分が前後方向のほぼ中央に位置しており、深い部分が前後の一方に偏っている。
【０１６７】
すなわち嵌合体２５１は、図１５（Ａ）に示したように溝の深い部分が前方にある方向（以下これを前溝方向と呼ぶ）から水平に半回転させることにより、図１５（Ｂ）に示したように溝の深い部分が後方にある状態（以下これを後溝方向と呼ぶ）とすることができる。
【０１６８】
そして嵌合部２３３及び２３４は、それぞれにおいて、対応する収納カセット１３５の標識パターンに合わせて、嵌合体２５１が適宜前溝方向又は後溝方向として嵌合体取付部２５２に取り付けられることにより、第２の実施の形態における嵌合部１３３及び１３４と同等の溝が構成されている。
【０１６９】
すなわちカセット装着部２３２Ａ、２３２Ｂ、２３２Ｃ及び２３２Ｄでは、嵌合部２３３及び２３４における溝形態の組み合わせが、第２の実施の形態と同様、順に「前溝形態・前溝形態」、「前溝形態・後溝形態」、「後溝形態・前溝形態」及び「後溝形態・後溝形態」のような溝パターンとなっている（図１１）。
【０１７０】
因みに嵌合体２５１は、その外寸が嵌合体取付部２５２の内寸とほぼ同等となっている。このため嵌合部２３３及び２３４では、ある程度の外力によって嵌合体２５１を嵌合体取付部２５２に嵌め込むことにより取り付けることができ、またその状態を互いの摩擦力により維持できる。さらに嵌合部２３３及び２３４では、嵌合体２５１にある程度の外力が加えられることにより、嵌合体取付部２５２から当該嵌合体２５１を取り外すことも可能となっている。
【０１７１】
このようにカセット装着部２３２は、嵌合部２３３及び２３４において、嵌合体２５１と嵌合体取付部２５２との組み合わせにより、収納カセット１３５の標識部１３６及び１３７により形成された標識パターンとそれぞれ対応するような溝パターンの溝が形成されている。
【０１７２】
［３−２．動作及び効果］
以上の構成において、第３の実施の形態による紙幣収納ユニット２１８は、カセット装着部２３２に第２の実施の形態と同様の収納カセット１３５がそれぞれ装着される。
【０１７３】
このとき収納カセット１３５は、対応するカセット装着部２３２に挿入された場合、すなわち標識パターンと溝パターンとが対応する場合、左右の両側面において、標識部１３６及び１３７における本体部１４１Ｐの位置及び形状が嵌合部２３３及び２３４における溝の深い部分の位置及び形状と対応するため、干渉することなく嵌合する。
【０１７４】
このため収納カセット１３５は、対応するカセット装着部２３２内に完全に収容され、正しく装着された状態となる。
【０１７５】
一方、収納カセット１３５は、対応しないカセット装着部２３２に挿入された場合、左右の少なくとも一方の側面において、標識部１３６及び１３７における本体部１４１Ｐの位置及び形状が、嵌合部２３３及び２３４における溝の深い部分の位置及び形状と対応しない。
【０１７６】
このため収納カセット１３５は、途中まで挿入された段階で標識部１３６又は１３７の本体部１４１Ｐがカセット装着部２３２の嵌合部２３３及び２３４における嵌合体２５１の上辺部分等と干渉して嵌合せず、装着が阻止される。すなわち収納カセット１３５は、誤挿入された状態となる。
【０１７７】
このように紙幣収納ユニット２１８では、第２の実施の形態と同様、各収納カセット１３５の標識部１３６及び１３７において、標識取付部１４２に対する標識体１４１の取付形態を前標識形態又は後標識形態として標識パターンを他の収納カセット１３５と相違させた。
【０１７８】
また紙幣収納ユニット２１８では、各カセット装着部２３２の嵌合部２３３及び２３４において、対応する収納カセット１３５の標識パターンに合わせた溝パターンとなるよう、嵌合体２５１を前溝方向又は後溝方向として嵌合体取付部２５２に取り付けた。
【０１７９】
これにより紙幣収納ユニット２１８は、各収納カセット１３５に対し、それぞれ対応するカセット装着部２３２への挿入及び装着を許容する一方、対応しないカセット装着部２３２への挿入（すなわち誤挿入）であるときには物理的干渉により装着を禁止することができる。
【０１８０】
特にカセット装着部２３２では、全ての嵌合部２３３及び２３４において、共通形状の溝である嵌合体取付部２５２に対し別部品である嵌合体２５１を取り付けるようにした。
【０１８１】
このためカセット装着部２３２は、第２の実施の形態における収納カセット１３５と同様、本体部分を同一の部品として共通化することによりコストの削減を図ることができ、また必要な溝パターンに合わせて嵌合体２５１を取り付けるだけで、所望のカセット装着部２３２を容易に構成することができる。
【０１８２】
またカセット装着部２３２は、嵌合部２３３及び２３４において、嵌合体２５１の取付方向を前溝方向又は後溝方向として嵌合体取付部２５２に取り付けることにより、前溝形態又は後溝形態といった２通りの溝形態を採り得るようにした。
【０１８３】
このためカセット装着部２３２では、単一の嵌合体２５１を利用するだけで良く、複数種類の嵌合体を用意する必要がないため、製造等に必要なコストを低廉に抑えることができる。
【０１８４】
さらにカセット装着部２３２は、嵌合部２３３及び２３４において、嵌合体２５１を嵌合体取付部２５２に嵌め込むだけで容易に取り付けることができ、また外力を加えるだけで容易に取り外し得るようにした。
【０１８５】
このためカセット装着部２３２は、例えば金融機関等の現場において急に溝パターンを変更する必要が生じたとしても、嵌合体取付部２５２から嵌合体２５１を取り外して方向を変更し再び嵌め込む、といった作業によって容易に対応することが可能となり、臨機応変な運用を実現することもできる。
【０１８６】
その他の点についても、第３の実施の形態による紙幣収納ユニット２１８は、第１の実施の形態による紙幣収納ユニット１８及び第２の実施の形態による紙幣収納ユニット１１８と同様の作用効果を奏し得る。
【０１８７】
以上の構成によれば、第３の実施の形態による紙幣収納ユニット２１８では、各収納カセット１３５の標識部１３６及び１３７における標識パターンを他の収納カセット１３５と相違させると共に、各カセット装着部２３２の嵌合部２３３及び２３４において、対応する収納カセット１３５の標識パターンに合わせた溝パターンとなるよう嵌合体２５１を前溝方向又は後溝方向として嵌合体取付部２５２に取り付けた。これにより紙幣収納ユニット２１８は、カセット装着部２３２に挿入された収納カセット１３５が正しく対応するときには、標識部１３６及び１３７を嵌合部２３３及び２３４と嵌合させて適切に装着させる一方、正しく対応しない誤挿入であるときには、標識部１３６及び１３７を嵌合体２５１における溝以外の部分と干渉させて嵌合させず、その装着を禁止することができる。
【０１８８】
［４．他の実施の形態］
なお上述した第１の実施の形態においては、標識部３６及び３７の形状を細長い直方体状とし、第２及び第３の実施の形態においては、標識体１４１の本体部１４１Ｐを細長い直方体状とし左右方向から見た全体形状をＴ字状とするようにした場合について述べた。
【０１８９】
しかしながら本発明はこれに限らず、種々の立体形状でなる標識部又は標識体を用いるようにしても良く、或いは標識部又は標識体を溝形状とし、嵌合部をこれと対応する立体形状とするようにしても良い。この場合、要は収納カセットとカセット装着部とが対応する場合には標識部又は標識体を嵌合部と嵌合させて装着を許容する一方、対応しない場合には標識部又は標識体が他の部分と干渉して装着を禁止することができれば良い。
【０１９０】
また上述した第１の実施の形態においては、収納カセット３５及びカセット装着部３２において標識部３６及び３７並びに嵌合部３３及び３４を設ける箇所を、左右両側面とするようにした場合について述べた。
【０１９１】
しかしながら本発明はこれに限らず、例えば左右のいずれか一方の側面のみとしても良く、若しくは前後両側面としても良く、或いは底面としても良く、さらには前面における右寄り及び左寄りにそれぞれ設けるようにする等、種々の箇所に設けるようにしても良い。要は、収納カセット３５の外面における任意の箇所に標識部を設け、収納カセット３５が対応するカセット装着部３２に装着された際に標識部を嵌合部に嵌合させて装着を許容する一方、他のカセット装着部３２に挿入された際に他の部分と物理的に干渉することにより装着を禁止できるような箇所であれば良い。第２及び第３の実施の形態についても同様である。
【０１９２】
さらに上述した第１の実施の形態においては、収納カセット３５における比較的上寄りの箇所に標識部３６及び３７を設けるようにした場合について述べた。
【０１９３】
しかしながら本発明はこれに限らず、収納カセット３５における中程や下寄りの箇所に標識部３６及び３７を設けるようにしても良い。この場合、収納カセット３５を対応しないカセット装着部３２に誤挿入した場合に、僅かに挿入した段階で標識部３６及び３７がカセット装着部３２の側面等と直ちに干渉するため、深くまで挿入させることなく誤挿入であることを認識させ、無駄な作業を省くことができる。
【０１９４】
さらに上述した第２の実施の形態においては、標識体１４１をＴ字状に構成し、標識取付部１４２に対する標識体１４１の取付形態を前標識形態又は後標識形態の２通りとするようにした場合について述べた。
【０１９５】
しかしながら本発明はこれに限らず、例えば全体的に三角形状でなり各辺に互いに異なる突起を形成した標識体を構成して取付形態を３通りとする等、種々の形状の標識体を用いることにより多数の取付形態を採り得るようにしても良い。第３の実施の形態についても同様である。
【０１９６】
さらに上述した第２の実施の形態においては、１種類の標識体１４１を取り替えることなく、標識取付部１４２に対する取付方向を変化させることにより、２通りの標識形態を表すようにした場合について述べた。
【０１９７】
しかしながら本発明はこれに限らず、例えば形状の異なる２種類の標識体を用意し、これらを取り替えることにより２通りの標識形態を表すようにしても良い。第３の実施の形態についても同様である。
【０１９８】
さらに上述した第２の実施の形態においては、収納カセット１３５の標識部１３６及び１３７において共通の標識体１４１を用いるようにした場合について述べた。
【０１９９】
しかしながら本発明はこれに限らず、標識部１３６及び１３７において互いに異なる標識体を用いるようにしても良い。第３の実施の形態についても同様である。
【０２００】
さらに上述した第２の実施の形態においては、標識取付部１４２に標識体１４１を取り付ける際、２個の位置決め突起１４１Ｒにより取付位置を定め、１個の取付孔１４１Ｓを介して１本の取付ねじ１４３によりねじ止めして取り付けるようにした場合について述べた。
【０２０１】
しかしながら本発明はこれに限らず、例えば位置決め突起１４１Ｒの数を１個又は３個以上としても良く、又は取付孔１４１Ｓを２個以上として２本以上の取付ねじ１４３によりねじ止めするようにしても良く、特にこの場合は位置決め突起１４１Ｒを省略しても良い。
【０２０２】
また、標識取付部１４２に位置決め用の突起を立設し、標識体１４１にこれと対応する孔を穿設するようにしても良い。或いは、弾性変形する爪状の係合部を形成し、これにより標識取付部１４２に取り付けるようにしても良い。
【０２０３】
すなわち本発明では、周知の種々の手法により、標識取付部１４２に対し所定の取付位置及び所定の取付方向となるように標識体１４１を取り付けるようにすることができる。この場合、標識取付部１４２に対し標識体１４１を確実に取り付けることにより誤挿入時の装着を確実に防止する一方、所定の取り外し作業により取り外すことができれば、標識形態の事後的な変更が可能となる。第３の実施の形態についても同様である。
【０２０４】
さらに上述した第２の実施の形態においては、２個の標識部１３６及び１３７を組み合わせることにより、４通りの標識パターンを形成するようにした場合について述べた（図９（Ｃ））。
【０２０５】
しかしながら本発明はこれに限らず、例えば３個以上の標識部を組み合わせることにより、５通り以上の標識パターンを形成するようにしても良い。この場合、カセット装着部１３２については、標識部と対応するそれぞれの箇所に嵌合部を設ければ良い。第３の実施の形態についても同様である。
【０２０６】
さらに上述した第２の実施の形態においては、全ての標識部１３６及び１３７において標識取付部１４２に標識体１４１を必ず取り付けるようにした場合について述べた。
【０２０７】
しかしながら本発明はこれに限らず、例えば運用中に収納カセット１３５を複数のカセット装着部１３２間で頻繁に入れ替えるような場合に、標識取付部１４２に標識体１４１を取り付けないようにしても良い。第３の実施の形態についても同様である。
【０２０８】
さらに上述した第３の実施の形態においては、１種類の嵌合体２５１の取付方向を切り換えることにより２通りの溝形態を表すようにした場合について述べた。
【０２０９】
しかしながら本発明はこれに限らず、例えば溝形態ごとに異なる嵌合体を用意するようにしても良く、或いは１種類の嵌合体２５１により３通り以上の溝形態を表すようにしても良い。
【０２１０】
さらに上述した第３の実施の形態においては、収納カセット１３５の標識部１３６及び１３７において、標識取付部１４２に標識体１４１を取り付けて各標識パターンを構成した場合に、カセット装着部２３２の嵌合部２３３及び２３４において嵌合体取付部２５２に嵌合体２５１を取り付けるようにした場合について述べた。
【０２１１】
しかしながら本発明はこれに限らず、例えば第１の実施の形態における収納カセット３５のように標識部３６及び３７が固定的に取り付けられている場合にも、各嵌合部において嵌合体取付部２５２に嵌合体２５１を取り付けるようにしても良い。
【０２１２】
さらに上述した第３の実施の形態においては、全ての嵌合部２３３及び２３４において嵌合体取付部２５２に嵌合体２５１を必ず取り付けるようにした場合について述べた。
【０２１３】
しかしながら本発明はこれに限らず、例えば運用中にカセット装着部２３２に挿入すべき収納カセット１３５を頻繁に入れ替えるような場合に、嵌合体取付部２５２に嵌合体２５１を取り付けないようにしても良い。
【０２１４】
さらに上述した第１の実施の形態においては、カセット装着部３２Ａ〜３２Ｄにおいて嵌合部３３及び３４の溝の位置を他のいずれとも相違させるようにした場合について述べた。
【０２１５】
しかしながら本発明はこれに限らず、例えばカセット装着部３２Ａ及び３２Ｂのいずれにおいても収納カセット３５に同一種類の紙幣を収納させる場合に、両者の溝の位置を揃えると共に収納カセット３５Ａ及び３５Ｂにおいても標識部３６及び３７の位置を揃える等、一部のカセット装着部及び収納カセットの間で嵌合部及び標識部の位置を揃えるようにしても良い。この場合、位置を揃えたカセット装着部３２の間でのみ、収納カセット３５に互換性を持たせることができる。第２及び第３の実施の形態についても同様である。
【０２１６】
さらに上述した第１実施の形態においては、カセット装着部３２及び収納カセット３５をそれぞれ４個とし、標識部３６及び３７並びに嵌合部３３及び３４の位置を４通りに相違させるようにした場合について述べた。
【０２１７】
しかしながら本発明はこれに限らず、カセット装着部３２及び収納カセット３５をそれぞれ２個、３個又は５個以上とし、標識部３６及び３７並びに嵌合部３３及び３４の位置を２通り、３通り又は５通り以上に相違させるようにしても良い。第２及び第３の実施の形態についても同様である。
【０２１８】
さらに上述した第１の実施の形態においては、紙幣入出金機１０の紙幣入出金機筐体１１に対し紙幣収納ユニット１８を前後方向へスライドするようにし、紙幣収納ユニット筐体３１に設けられたカセット装着部３２に対し収納カセット３５を上から下へ向けて、すなわちスライドする前後方向と交差する下方向へ挿入するようにした場合について述べた。
【０２１９】
しかしながら本発明はこれに限らず、例えば紙幣収納ユニット筐体３１に対しカセット装着部３２の開放部分を左又は右に向けるよう取り付け、当該カセット装着部３２の左側又は右側から収納カセット３５を右方向又は左方向へ向けて挿入するようにしても良く、或いは紙幣収納ユニット筐体３１に対しカセット装着部３２の開放部分を前方に向けるよう取り付け、当該カセット装着部３２の前側から後方へ向けて、すなわちスライドする前後方向と平行な後方向へ挿入するようにしても良い。この場合、紙幣収納ユニット筐体３１は、紙幣入出金機筐体１１に対し固定されスライドしない構成であっても良い。第２及び第３の実施の形態についても同様である。
【０２２０】
さらに上述した第１の実施の形態においては、金融機関等において顧客との間で現金に関する取引を行う現金自動預払機１の紙幣収納ユニット１８において、カセット装着部３２に装着された収納カセット３５に媒体としての紙幣を収納するようにした場合について述べた。
【０２２１】
しかしながら本発明はこれに限らず、例えば金融機関等において職員が現金に関する各種処理を行うための出納システムに組み込まれるカセット装着部及び収納カセットに適用するようにしても良い。第２及び第３の実施の形態についても同様である。
【０２２２】
さらに上述した第１の実施の形態においては、紙幣の入金処理や出金処理等を行う紙幣入出金機１０において、カセット装着部３２に装着した収納カセット３５に媒体としての紙幣を収納するようにした場合について述べた。
【０２２３】
しかしながら本発明はこれに限らず、例えば債権、証書、商品券、金券や入場券等のような紙葉状の媒体、或いは硬貨のような円板状の媒体等、種々の形状でなる媒体を取り扱う種々の装置において、特定の種類の媒体を収納した収納カセットを特定のカセット装着部に装着して運用するようにしても良い。第２及び第３の実施の形態についても同様である。
【０２２４】
さらに上述した実施の形態においては、収納カセットとしての収納カセット３５と、カセット装着部としてのカセット装着部３２と、標識部としての標識部３６及び３７と、嵌合部としての嵌合部３３及び３４とによって媒体収納装置としての紙幣収納ユニット１８
を構成する場合について述べた。
【０２２５】
しかしながら本発明はこれに限らず、その他種々の構成でなる収納カセットと、カセット装着部と、標識部と、嵌合部とによって媒体収納装置を構成するようにしても良い。第２及び第３の実施の形態についても同様である。
【産業上の利用可能性】
【０２２６】
本発明は、種々の媒体に対応する収納カセットをカセット装着部に装着して当該媒体を当該収納カセットに収納する種々の装置でも利用できる。
【符号の説明】
【０２２７】
１…………現金自動預払機、１０……紙幣入出金機、１１……紙幣入出金機筐体、１８、１１８、２１８……紙幣収納ユニット、３１……紙幣収納ユニット筐体、３２、１３２、２３２……カセット装着部、３３、３４、１３３、１３４、２３３、２３４……嵌合部、３５、１３５、２３５……収納カセット、３６、３７、１３６、１３７、２３６、２３７……標識部、１４１……標識体、１４１Ｐ……本体部、１４１Ｒ……位置決め突起、１４１Ｓ……取付孔、１４２……標識取付部、１４２Ｔ……取付ねじ孔、１４２Ｕ……前位置決め孔、１４２Ｖ……後位置決め孔、１４３……取付ねじ、２５１……嵌合体、２５２……嵌合体取付部。
【図１】
0005929273.tif 000002
【図２】
0005929273.tif 000003
【図３】
0005929273.tif 000004
【図４】
0005929273.tif 000005
【図５】
0005929273.tif 000006
【図６】
0005929273.tif 000007
【図７】
0005929273.tif 000008
【図８】
0005929273.tif 000009
【図９】
0005929273.tif 000010
【図１０】
0005929273.tif 000011
【図１１】
0005929273.tif 000012
【図１２】
0005929273.tif 000013
【図１３】
0005929273.tif 000014
【図１４】
0005929273.tif 000015
【図１５】
0005929273.tif 000016
【図１６】
0005929273.tif 000017